【手続補正書】
【提出日】平成18年5月19日(2006.5.19)
【手続補正１】
【補正対象書類名】明細書
【補正対象項目名】発明の名称
【補正方法】変更
【補正の内容】
【発明の名称】レーザ駆動回路とレーザ駆動回路の制御方法と画像形成装置
【手続補正２】
【補正対象書類名】明細書
【補正対象項目名】特許請求の範囲
【補正方法】変更
【補正の内容】
【特許請求の範囲】
【請求項１】  画像を形成する画像形成装置における半導体レーザダイオードを駆動するレーザ駆動回路において、レーザ出力を制御するコンデンサを用いて上記半導体レーザダイオードの露光制御を行う露光制御手段と、予め定められた電流を発生する電流発生手段と、上記半導体レーザダイオードの発光を指示する信号が入力された際、上記電流発生手段で発生される電流を上記コンデンサに流入する処理を行う処理手段と、を具備したことを特徴とするレーザ駆動回路。
【請求項２】  画像を形成する画像形成装置における半導体レーザダイオードを駆動するレーザ駆動回路において、上記半導体レーザダイオードのレーザ光出力を制御するコンデンサを用いて上記半導体レーザダイオードの露光制御を行う露光制御手段と、
上記半導体レーザダイオードの発光時間を変化させる電流量の増減を設定する設定手段と、
この設定手段で設定された電流を発生する電流発生手段と、
上記半導体レーザダイオードの発光を指示する信号が入力された際、上記電流発生手段で発生される電流を上記コンデンサに流入する処理を行う処理手段と、を具備したことを特徴とするレーザ駆動回路。
【請求項３】  画像を形成する画像形成装置における半導体レーザダイオードを駆動するレーザ駆動回路において、レーザ出力を制御するオペアンプを用いて上記半導体レーザダイオードの露光制御を行う露光制御手段と、予め定められた電圧を発生する電圧発生手段と、上記半導体レーザダイオードの発光を指示する信号が入力された際、所定時間遅延して上記電圧発生手段で発生された電圧を上記オペアンプに接続する制御を行う制御手段と、を具備したことを特徴とするレーザ駆動回路。
【請求項４】  画像を形成する画像形成装置における半導体レーザダイオードを駆動するレーザ駆動回路において、レーザ出力を制御するオペアンプを用いて上記半導体レーザダイオードの露光制御を行う露光制御手段と、予め定められた電圧を発生する電圧発生手段と、上記半導体レーザダイオードの発光を指示する信号が入力された際、上記半導体レーザダイオードの発光タイミングを指定する信号を生成する生成手段と、この生成手段で生成された信号に応じて上記電圧発生手段で発生された電圧を上記オペアンプに接続する接続手段と、を具備したことを特徴とするレーザ駆動回路。
【請求項５】  画像を形成する画像形成装置における半導体レーザダイオードを駆動するレーザ駆動回路の制御方法であって、上記半導体レーザダイオードの発光を指示する信号が入力された際、上記半導体レーザダイオードのレーザ出力を制御するコンデンサに、レーザ発光時間を設定する電流量の電流を発生させて流入するようにしたことを特徴とするレーザ駆動回路の制御方法。
【請求項６】  画像を形成する画像形成装置における半導体レーザダイオードを駆動するレーザ駆動回路の制御方法であって、上記半導体レーザダイオードの発光時間を変化させる電流量の増減を設定し、この設定された電流を発生し、上記半導体レーザダイオードの発光を指示する信号が入力された際、上記発生された電流を上記半導体レーザダイオードのレーザ出力を制御するコンデンサに流入するようにしたことを特徴とするレーザ駆動回路の制御方法。
【請求項７】  画像を形成する画像形成装置における半導体レーザダイオードを駆動するレーザ駆動回路の制御方法であって、上記半導体レーザダイオードの発光を指示する信号が入力された際、この信号入力から所定時間遅延して予め定められた電圧を上記半導体レーザダイオードのレーザ出力を制御するオペアンプに入力するようにしたことを特徴とするレーザ駆動回路の制御方法。
【請求項８】  画像を形成する画像形成装置における半導体レーザダイオードを駆動するレーザ駆動回路の制御方法であって、上記半導体レーザダイオードの発光を指示する信号が入力された際、上記半導体レーザダイオードの発光タイミングを指定する信号を生成し、この生成された信号に応じて予め定められた電圧を上記半導体レーザダイオードのレーザ出力を制御するオペアンプに入力するようにしたことを特徴とするレーザ駆動回路の制御方法。
【請求項９】  レーザ光により像担持体上を走査露光することにより、上記像担持体上に被画像形成媒体１枚分の画像を形成する画像形成装置において、
レーザ光を発生するレーザ光発生手段と、
このレーザ光発生手段により発生されるレーザ光を制御するレーザ光制御手段と、
このレーザ光制御手段により制御されている状態で、上記レーザ光発生手段により発生されるレーザ光を偏向する偏向手段と、
この偏向手段により偏向されたレーザ光を上記像担持体上ヘ向けて反射し、上記レーザ光により上記像担持体上を走査する走査手段と、
この走査手段により上記像担持体上が走査される際に、形成する画像に基づいてレーザ光を発光することにより、上記像担持体上を走査露光することにより、上記像担持体上に画像を形成する画像形成手段とを具備し、
上記レーザ光制御手段が、
上記レーザ光発生手段のレーザ光出力を制御するコンデンサを用いて上記レーザ光発生手段の露光制御を行う露光制御手段と、
上記レーザ光発生手段の発光時間を変化させる電流量の増減を設定する設定手段と、
この設定手段で設定された電流を発生する電流発生手段と、
上記レーザ光発生手段の発光を指示する信号が入力された際、上記電流発生手段で発生される電流を上記コンデンサに流入する処理を行う処理手段とを有する
ことを特徴とする画像形成装置。
【手続補正３】
【補正対象書類名】明細書
【補正対象項目名】００２４
【補正方法】変更
【補正の内容】
【００２４】
この発明のレーザ駆動回路の制御方法は、画像を形成する画像形成装置における半導体レーザダイオードを駆動するレーザ駆動回路の制御方法であって、上記半導体レーザダイオードの発光を指示する信号が入力された際、上記半導体レーザダイオードの発光タイミングを指定する信号を生成し、この生成された信号に応じて予め定められた電圧を上記半導体レーザダイオードのレーザ出力を制御するオペアンプに入力するようにしたことを特徴とする。  
この発明の画像形成装置は、レーザ光により像担持体上を走査露光することにより、上記像担持体上に被画像形成媒体１枚分の画像を形成する画像形成装置において、レーザ光を発生するレーザ光発生手段と、このレーザ光発生手段により発生されるレーザ光を制御するレーザ光制御手段と、このレーザ光制御手段により制御されている状態で、上記レーザ光発生手段により発生されるレーザ光を偏向する偏向手段と、この偏向手段により偏向されたレーザ光を上記像担持体上ヘ向けて反射し、上記レーザ光により上記像担持体上を走査する走査手段と、この走査手段により上記像担持体上が走査される際に、形成する画像に基づいてレーザ光を発光することにより、上記像担持体上を走査露光することにより、上記像担持体上に画像を形成する画像形成手段とを具備し、上記レーザ光制御手段が、上記レーザ光発生手段のレーザ光出力を制御するコンデンサを用いて上記レーザ光発生手段の露光制御を行う露光制御手段と、上記レーザ光発生手段の発光時間を変化させる電流量の増減を設定する設定手段と、この設定手段で設定された電流を発生する電流発生手段と、上記レーザ光発生手段の発光を指示する信号が入力された際、上記電流発生手段で発生される電流を上記コンデンサに流入する処理を行う処理手段とを有するものである。